(57)【要約】【課題】液体などを効率よく使う又は効率よく泡立てることができる容器を提供する【解決手段】フタ１をワンタッチであけることができるボタン５を備えた容器３、容器３の上部にあり一部が容器３と接合又は装着されている開閉式のフタ１、フタ１上部に接合又は組み合わせられている又はフタ１に内蔵されているフタ２、フタ２内部の液体の出口６をおこす上面４、フタ２内部にあり上面４を押すことで現れる出口６を以上の構成により、液体などを効率よく使う又はよく泡立てる事ができる容器である【選択図】図１
2005015034.tif 000002
【特許請求の範囲】
【請求項１】
フタ１をワンタッチであけることができるボタン５を備えた容器３
容器３の上部にあり一部が容器３と接合又は装着されている開閉式のフタ１
フタ１上部に接合又は組み合わせられている又はフタ１に内蔵されているフタ２
フタ２内部の液体の出口６をおこす上面４
フタ２内部にあり上面４を押すことで現れる出口６
以上のように構成されたものである
【請求項２】
フタ２が容器３の上部でフタ１の隣に装着または接合または組み合わせられている請求項１
以上のように構成されたものである
【請求項３】
フタ１及び／又はフタ２をワンタッチであけることができるボタン５を備えた容器３容器３の上部にあり一部が容器３と接合又は装着されている開閉式のフタ１
容器３の上部でフタ１の隣にあり一部が容器３と接合又は装着されている開閉式のフタ２
以上のように構成されたものである
【請求項４】
容器３の側面が軽い傾斜になっている請求項１または請求項２または請求項３
【発明の詳細な説明】
【０００１】
【発明の属する技術分野】
この発明は洗髪料又は洗顔料又は洗剤など液体を効率よく使う容器に関するものである
【０００２】
【従来の技術】
従来は、洗髪料などの水に溶かして使う液体はそのまま、手の上にのせ水に溶かして使っていた。又はぬれた髪にそのまま洗髪料をつけ洗ったりしていた。全身洗浄料でも同じことが言える
【０００３】
従来、容器の上部にポンプを二つつけて容器内部を区切りシャンプーとリンスを分けたりするようなものが提案されている（実開平５−８５３０３参照）。
【０００４】
従来、洗顔料などは、手のひらのうえにのせ水をつけあまり泡立たなくても、多くの人が直接顔に付けこすって洗顔していた。プラスチックのネットを筒状にした洗顔用泡立てネットも提案されている（特開平１０−２７６９２８号公報参照）。
【０００５】
【発明の解決しようとする課題】
上記記載の実開平５−８５３０３の、容器の上部にポンプを二つつけて容器内部を区切りシャンプーとリンスを分けるという考案は、ただ二つのものを一つにしただけであり、スペースを省くという利点はあるが、効率よく使うという点では欠点がある。先進的ではない
【０００６】
従来、洗顔料などは、手のひらのうえにのせ水をつけあまり泡立たなくても、多くの人が直接顔に付けこすって洗顔していた。（特開平１０−２７６９２８号公報参照）のプラスチックのネットを筒状にした洗顔用泡立てネットの提案ではやはり、洗顔料がネットの中に少量残ってしまうという欠点がある。また、使い終わった後は、ネットについた洗顔料を取り除くために、濯いだり、もんだりして洗わないといけないという手間が欠点である
【０００７】
ぬれた髪にそのまま洗髪料をつけ洗うなどは、髪の多い人などは、無駄に多くの洗髪料を使うことになる。洗髪料のポンプなどは、髪の毛が多い人、少ない人にかかわらず。一定の量がポンプから放出されてあまり使わなくてもよい人までも多く放出されて不経済だった。全身洗浄料でも同じことが言える
【０００８】
【課題を解決するための手段】
本発明は、このような欠点を防ぐためにこの容器３は、上部にフタが二つ隣り合い又はフタがフタの内部に組み合わせられている、一つは水と水で延ばすための液体を入れるフタ１がついている。もう一つには、水で延ばした又は泡立てた液体を出すフタ２がついている。以上のように構成されたものにした。
【０００９】
【発明の実施の形態】
発明の実施形態について説明する。
容器３のボタン５を押してフタ１を開けて、適量の洗髪料を入れ、その後、適量の水を入れる。
容器３のフタ１を閉めて、容器３を振る
容器３のフタ２の上面４を押し液体の出口６をおこして、そして、出口６を髪の毛又は手の平に向けながら、容器３の側面を押す、適度に薄くなり泡立った洗髪料が出てくる
使い終わったら、両方のフタを開けて水で濯ぐ。両方のフタを開けたまま乾かす。残った場合は両方のフタを閉め置いておく
【００１０】
容器３のボタン５を押してフタ１を開けて、適量の洗顔料を入れ、その後、適量の水を入れる。
容器３のフタ１を閉めて、容器３を振る
フタ２の液の出口６をおこす上面４を押し液体の出口６をおこして、容器３の側面を押すと、きめの細かい泡状になった洗顔料を取り出し、洗顔する
使い終わったら、フタ１を開けて水で濯ぐ。その後フタ１を開けたまま乾かす
残った場合は、フタ２とフタ１を閉めておいておく
【００１１】
【発明の効果】
この発明は、容器の上部にフタが二つついており、一つは水と水で延ばすための液体を入れるフタ１がついている。もう一つには、水で延ばしたシャンプーやリンス、コンディショナー、出すフタ２がついている。以上のような構成なのでシャンプーやコンディショナー、リンスなどを水にのばすことでよりうまくシャンプー液を使うことができる。従来は、めんどうくさいこともワンタッチで開くフタと使いやすい容器でより効果的に、そして、シャンプー等の原液をそのまま使うよりは、同じ量を水にのばすことによって、大きい範囲により効果的にシャンプーをいきわたせる事で経済的に使うことができる。このような効果が生まれた。
【００１２】
フタ１上部にフタ２を重ねて取り付けてある又はフタ１にフタ２を内蔵する場合は、洗顔料をあわ立てるときに適している。洗顔料というのは泡立たせてこそ効果が一番ある。洗顔料の使用方法でも、あわ立たせてくださいと書いてある、しかし、これが一番難しい。この発明は、容器３を振ってあわ立たせることで、誰でも簡単に、短時間できめの細かい泡を作ることができる。そして、手のひらを使わずに容器の中であわ立たせることで、本来手のひらからこぼれていた泡などをこぼさずに有効に使うことができる。使い終わって水で濯ぐ時もボタン５を押してフタ１を開けて水で濯いで容器３を倒しておいて置けば容器に傾斜があると自然に液体は空いたところから出て行く。もし泡が残った場合などはフタ１又はフタ２を閉めて、液体出口６も閉めて、置いとけば、次使うときは、振るだけで使えるという状態である。衛生的、経済的、利便性にも優れている
【００１３】
容器３の形としては、円柱や円錐、三角錐、三角柱、四角錘、四角柱など他に幅広く形が扱える。半円柱など、円形で下が平らとかでもいい使いやすさとデザインとを考えてよりよい形。容器の側面に手で容器を握りやすいようにグリップの形にしてもよい。材質は透明な材質、アクリル、塩化ビニール、プラスチック、などが好ましい。
【００１４】
洗顔料を使うときのフタ２の液体出口６はきめ細かく出る適度な出口の広さがいい。フタ２は全面が開く開閉式のものも用途によってはいい。
【００１５】
フタ１の上部に接合又は装着されている液体が出る出口を備えた管８又は液体を吸い上げ出すポンプ７をつけることもよい。洗髪料、全身洗浄料、洗剤など水に薄めて使うものの時はフタ２の液体出口６の広さ又は管又はポンプの太さは薄まった液体が出るのに適度な出口の広さがいい
【００１６】
液体というのは、洗顔料、洗髪料、洗剤など水と一緒に使ったり、泡立たせたりするもの全般のことを言う。しかし、混合するものとしては液体と液体が一般であるが、固体と液体、固体と固体でもよい
【００１７】
フタ２は上面４を押して液体出口６をあけるほか、ボタンでフタ２が開く開閉式のフタ等を使うこともできる。フタ２はフタ１の内部にあることもある
【００１８】
容器３は二つのフタを閉めると密閉される
【００１９】
フタ１又はフタ２を開ける方法としては、ボタン５を押す方法もあるが、普通にストッパー又はとめがねを外して開ける方法などもある
【００２０】
混合した液を出す又は混合する液体を入れる方法としてはフタ２の上面４を押して出口を上げる方法又はボタン５を押してフタ１をあけるという方法があるが、他には容器３とフタ１又はフタ２をスライドできるよう組み合わせスライドして開ける又は閉めるということもできる。
【００２１】
フタ１又はフタ２をあける方法としては、状況と混合する液体によって使い勝手のよいものにする
【図面の簡単な説明】
【図１】斜視図
【図２】底面図
【図３】平面図
【図４】背面図
【図５】正面図
【図６】使用時側面図
【図７】実施例図
【図８】実施例図
【図９】実施例図
【図１０】側面図
【符号の説明】
１フタ
２フタ
３容器
４上面
５ボタン
６出口
７ポンプ
８管
【図１】
2005015034.tif 000003
【図２】
2005015034.tif 000004
【図３】
2005015034.tif 000005
【図４】
2005015034.tif 000006
【図５】
2005015034.tif 000007
【図６】
2005015034.tif 000008
【図７】
2005015034.tif 000009
【図８】
2005015034.tif 000010
【図９】
2005015034.tif 000011
【図１０】
2005015034.tif 000012